(57)【要約】【課題】  使用者が好ましいと考える色再現を実現する。【解決手段】  色再現空間にマッピングする色変換テーブルを具備した印刷装置において、該色変換テーブルは、前記印刷装置に接続されている前記印刷装置を駆動するホストコンピュータを経て｛Ｒ、Ｇ、Ｂ｝＝｛０、２５５、０｝なる信号を印刷して得られるプリンタ色再現空間上の測色値が為す角θに対して、｛Ｒ、Ｇ、Ｂ｝＝｛０、ｋ、０｝（ｋ≦Ｃ、３２≦Ｃ≦１１２）の場合にはθよりもシアン寄りへ、｛Ｒ、Ｇ、Ｂ｝＝｛０、ｋ、０｝（Ｃ＜ｋ≦２５５、３２≦Ｃ≦１１２）の場合にはθよりも黄寄りへ、各々偏ってマッピングするように決定されていることを特徴とする。【選択図】  図７
2005210551.tif 000002
【特許請求の範囲】
【請求項１】
色再現空間にマッピングする色変換テーブルを具備した印刷装置において、
該色変換テーブルは、前記印刷装置に接続されている前記印刷装置を駆動するホストコンピュータを経て｛Ｒ、Ｇ、Ｂ｝＝｛０、２５５、０｝なる信号を印刷して得られるプリンタ色再現空間上の測色値が為す角θに対して、｛Ｒ、Ｇ、Ｂ｝＝｛０、ｋ、０｝（ｋ≦Ｃ、３２≦Ｃ≦１１２）の場合にはθよりもシアン寄りへ、｛Ｒ、Ｇ、Ｂ｝＝｛０、ｋ、０｝（Ｃ＜ｋ≦２５５、３２≦Ｃ≦１１２）の場合にはθよりも黄寄りへ、各々偏ってマッピングするように決定されていることを特徴とする印刷装置。
【請求項２】
色再現空間にマッピングする色変換テーブルを具備した印刷装置において、
該色変換テーブルは、前記印刷装置に接続されている前記印刷装置を駆動するホストコンピュータを経て｛Ｒ、Ｇ、Ｂ｝＝｛０、２５５、０｝なる信号が前記印刷装置に入力された際に、その測色値が、プリンタ色再現空間でａｒｃｔａｎｇｅｎｔ（ｂ＊／ａ＊）＝ξとするとき、１４０度≦ξ≦１６０度となるような特性を持ってマッピングするように決定されていることを特徴とする印刷装置。
【発明の詳細な説明】
【技術分野】
【０００１】
本発明は、プリンタ色再現域とモニタ色再現域のマッピング、所謂色補正に関する。
【背景技術】
【０００２】
インクジェットプリンタ等の画像出力装置において画像入力部から入力された３次元の色信号に基づいて画像出力部からカラー画像を出力する場合、色再現性が良好に保たれている必要がある。このための技術として画像出力部で色再現できない範囲を圧縮して色再現できる範囲にマッピングする、所謂色再現域マッピング技術がある。
【０００３】
この色再現域マッピング技術として、従来、３次元ルックアップテーブル（ＬＵＴ）を用いて色変換を行って色再現域マッピング（色域変換）を行う場合に、出力色空間（色再現変換系と出力系との間で色信号が形成する空間）を、色再現域マッピング処理を行う領域と行わない領域に分け、それらを入力色空間（入力系と色再現変換系との間で色信号が形成する空間）にマッピングしてクリッピング領域を判断し、色再現域マッピングを実行する技術がある（例えば、特開平５−２８４３４７）。
【０００４】
この手法及びこの手法に類する手法を用いてマッピングを行うと、入力されるＲ、Ｇ、Ｂ信号に忠実なマッピングになることが一般的であった。例えばデジタルカメラやスキャナといったデジタル画像入力機器から得られた電子データを構成するＲ、Ｇ、Ｂ信号において、｛Ｒ、Ｇ、Ｂ｝＝｛ｉ、ｊ、ｉ｝（０≦ｉ≦２５５、０≦ｊ≦２５５、但し常にｊ≧ｉ）なる信号は明るさや彩度を問わず表現しうる全てのグリーンを示すが、この信号がｓＲ、Ｇ、Ｂ空間で張る平面を忠実に印刷するために、印刷物を測色するとプリンタ色再現空間内で同一色相の平面となる。
【０００５】
ところで近年の印刷技術の発達により、印刷装置には入力信号に忠実な印刷だけではなく、印刷する前の印象／期待といった心理的要素を重要視した所謂記憶色を印刷する印刷装置の需要が高まっている。これは、入力信号に忠実なマッピングがディスプレイ上に表示される色と印刷結果が等しくなることを目的とした色補正であるのに対し、記憶色の印刷では、印刷物そのものをユーザが好ましいと感じるための色補正の方法である。
【発明の開示】
【発明が解決しようとする課題】
【０００６】
しかしながら上記技術を用いた入力信号に忠実な色補正では、記憶色がユーザの期待や印象といった心理的要因に依存する部分が多いため、ユーザが好ましいと感じる色再現を容易に行えないという問題があった。
【０００７】
本発明は上記課題を鑑みてなされたものであり、その目的は、入力信号に忠実な色補正では為し得ない、ユーザの好みの色再現を得ることである。
【課題を解決するための手段】
【０００８】
本発明に懸かる課題を解決／実現する手段は、入力されたグリーンを表示する｛Ｒ、Ｇ、Ｂ｝＝｛ｉ、ｊ、ｉ｝（０≦ｉ≦２５５、０≦ｊ≦２５５、但し常にｊ≧ｉ）なる信号が入力された際に、その印刷結果を測色して得られる測色値がプリンタ色再現空間内に張る面が、入力信号に忠実な平面ではなく、｛Ｒ、Ｇ、Ｂ｝＝｛０、２５５、０｝なる信号を印刷して得られるプリンタ色再現空間上の測色値が為す角θに対して、｛Ｒ、Ｇ、Ｂ｝＝｛０、ｋ、０｝（ｋ≦Ｃ、３２≦Ｃ≦１１２）の場合にはθよりもシアン寄りへ、｛Ｒ、Ｇ、Ｂ｝＝｛０、ｋ、０｝（Ｃ＜ｋ≦２５５、３２≦Ｃ≦１１２）の場合にはθよりも黄寄りへ、各々偏ってマッピングされるＬＵＴを作成することである。
【発明の効果】
【０００９】
本発明によれば、例えばＣＭＹＫの４色の色材を用いたインクジェットプリンタを用いてグリーンを多く含む自然画を印刷する際に高い支持を得ることができる。
【発明を実施するための最良の形態】
【００１０】
以下では、添付図面を参照しながら本発明の好適な実施の形態を説明する。尚、以下では例としてＣＩＥ  Ｌ＊ａ＊ｂ＊均等色空間を例にとって説明する。
【００１１】
図１は、本発明の好適な実施の形態に懸かる画像処理システムの構成を概略的に示す図である。この画像処理システムはデジタルスティールカメラやスキャナといったデジタル画像入力機器１００と、パーソナルコンピュータ等のコンピュータ１１０と、ディスプレイ等の画像表示機器１７０、及び印刷装置１５０を備えている。
【００１２】
コンピュータ１０には、画像入力機器１００から得られたデータをデコードして表示するためのソフトウェアプログラムや、文書処理、表計算、インターネットブラウザ等のアプリケーション１２０と、アプリケーション１２０がオペレーティングシステム１３０に対して発行する印刷命令に懸かる各種描画命令群（イメージ描画命令、テキスト描画命令、グラフィクス描画命令等）を処理して印刷データを作成するプリンタドライバ１４０、さらにアプリケーション１２０がオペレーティングシステムに対して発行する各種命令群を処理して画像表示装置１７０に画像を表示するモニタードライバ１６０等のソフトウェアプログラムが組み込まれている。
【００１３】
コンピュータ１１０には、図中には明示していないが、これらソフトウェアが動作可能な各種ハードウェア（ＣＰＵまたはＭＰＵ等の演算プロセッサ、ＲＡＭ、ＨＤＤ、ＲＯＭ等公知のコンピュータを構成するハードウェア）を具備している。
【００１４】
図１に示す画像処理システムの具体的な構成例としては、一般的に普及しているＩＢＭ社のＡＴ互換機のパーソナルコンピュータ、及び該パーソナルコンピュータにディスプレイ、印刷装置を接続し、さらに該パーソナルコンピュータにオペレーティングシステムとしてＭｉｃｒｏｓｏｆｔ社のＷｉｎｄｏｗｓ（登録商標）９５、９８、ｍｅ、ＮＴ、２０００、ＸＰ等をインストールすると共に、印刷機能を有するアプリケーションソフトウェアをインストールしたものが挙げられる。
【００１５】
コンピュータ１１０では、モニタに表示された表示画像に基づいてアプリケーション１２０で文字などのテキストに分類される文書データ、図形などのグラフィクスに分類されるグラフィクスデータ、自然画などに分類されるイメージデータなどを用いて出力画像データが生成される。この出力画像データに基づいて画像を印刷するときには、アプリケーション１２０からオペレーティングシステム１３０に対して印刷出力要求を行い、出力画像データの種類に応じた描画命令群をオペレーティングシステム１３０に対して発行する。
【００１６】
オペレーティングシステム１３０はアプリケーション１２０の出力要求を受けて、出力プリンタに対応するプリンタドライバ１４０に描画命令群を発行する。プリンタドライバ１４０はオペレーティングシステム１３０から入力された印刷要求を処理して印刷装置１５０で印刷可能な印刷データを作成し印刷装置１５０へ送信する。印刷装置１５０がラスタープリンタである場合には、プリンタドライバ１４０はオペレーティングシステム１３０からの描画命令に対して順次画像処理を行い、Ｒ、Ｇ、Ｂ２４ビットページメモリの内容を印刷装置１５０が印刷可能なデータ形式（例えばＣＭＹＫデータ）に変換して印刷装置１５０へ送信する。
【００１７】
図２はプリンタドライバ１４０の構成を示す図である。画像補正処理部１４１は、オペレーティングシステム１３０からの描画命令群に含まれる色情報に対して画像補正処理を行う。この画像補正処理ではＲ、Ｇ、Ｂ色情報を輝度／色差信号に変換し、輝度信号に対して露出補正を行い、補正された輝度／色差信号をＲ、Ｇ、Ｂ色情報に逆変換する。
【００１８】
印刷装置用補正処理部１４２は、画像補正処理されたＲ、Ｇ、Ｂ色情報によって描画描画命令をラスタライズし、Ｒ、Ｇ、Ｂ２４ビットページメモリ上にラスター画像を生成し、色再現空間マッピング処理、ＣＭＹＫへの色分解、階調補正処理を行って各画素に対してプリンタの色再現性に依存したＣＭＹＫデータを生成して印刷装置１５０へ送信する。
【００１９】
図３は、印刷装置用補正処理部１４２の構成を示す図である。以下では、図３を参照しながら印刷用補正処理部１４２における処理を説明する。尚以下では通常３次元で表される色空間を、説明の便宜の為、模式的に２次元で表した図（例えば図４）を用いて説明する。
【００２０】
まず、画像補正処理部１４１（図２参照）によって明るさ、階調、色調が整えられたＲ、Ｇ、Ｂ各々８ｂｉｔの画像データが、印刷装置用補正処理部１４２の画像信号入力部２００へ入力される。なお、画像信号入力部２００へ入力されたＲ、Ｇ、Ｂ各々８ｂｉｔの画像データは、画像表示機器１７０（図１参照）上で再現される色に対応しており、例えば均等色空間であるＬ＊ａ＊ｂ＊表色系の座標値では、（Ｌ＿ｄｉｓｐｌａｙ、ａ＿ｄｉｓｐｌａｙ、ｂ＿ｄｉｓｐｌａｙ）という色を表している。
【００２１】
ところが、図４からもわかるようにモニタの色再現空間とプリンタの色再現空間は、例えばＬ＊ａ＊ｂ＊空間などの均等色空間上で大きさが異なっている。すなわち、モニタ上に表現された画像データを図３の後段色信号変換部２２０（Ｒ、Ｇ、Ｂ−ＣＭＹＫ変換）及び階調補正部２３０を経てプリンタに出力しても印字が不可能な領域（プリンタに表現不可能な色空間上の領域）が出てしまう。したがってプリンタ側では、モニタが再現可能で、且つプリンタが再現不可能な色空間上の領域（図４の斜線の領域）については擬似的な色（Ｌ＊ａ＊ｂ＊値）、すなわちモニタの発色とはことなる擬似的な色を生成して印字する必要がある。
【００２２】
なお、以下では均等色空間としてＬ＊ａ＊ｂ＊空間を円筒座標Ｈ（＝ａｔａｎ（ｂ／ａ））、Ｓ（＝（ａ＊＾２＋ｂ＊＾２）＾１／２）、Ｖ（＝Ｌ＊）に写したＨＳＶ空間上で、全空間について一つのＳについての所定の圧縮式をもちいてガマット圧縮を行う例を説明する。
【００２３】
図３−２１０の前段色信号変換部では前記プリンタの再現不可能な色空間上の領域について、モニタの色再現空間（モニタガマット）を圧縮して、プリンタの色再現空間内の点と対応付ける。すなわち、図３−２１０の前段色信号変換部によって処理された入力Ｒ、Ｇ、Ｂ８ｂｉｔ画像信号はプリンタの色再現空間上の点に対応したＲ’Ｇ’Ｂ’８ｂｉｔのデータに変換される。
【００２４】
具体的には、一般的に前記前段色信号変換処理は以下の手順にしたがってモニタＲ、Ｇ、Ｂ色空間からプリンタＲ’Ｇ’Ｂ’色空間への変換を行う。
【００２５】
色再現空間は３軸がＲ、Ｇ、Ｂ（赤、緑、青）の色信号強度を表しており、各色信号がとることのできる値は、色信号の強さのデータが８ｂｉｔ構成の場合、“０”、“１”、“２”、…、“２５５”の２５６種である。したがって前記８ｂｉｔＲ、Ｇ、Ｂ色信号強度をもちいて表現可能な色は１６７７７２１６色となるが、この全ての色について測色的にＬ＊ａ＊ｂ＊値を求めることは現実的でない。そこで本実施形態では下記のとおりＲ、Ｇ、Ｂそれぞれの色信号強度について９分割して処理をおこない、下記の格子間に位置するＲ、Ｇ、Ｂ値に対しては補間してこれを用いている。なお、本実施形態では前記Ｒ、Ｇ、Ｂ値から対応するＬ＊ａ＊ｂ＊値を求める手法として立方体補間法をもちいている。
【００２６】
図５のような画像データ（パッチ）を各々のデバイスで出力し、それぞれの機器による色再現空間（ガマット）を均等色空間の座標点とそれぞれ対応づけられた、Ｒ、Ｇ、Ｂ空間内の３次元の格子によって表現する。
【００２７】
従って、格子点の座標は各色の信号値が“０”、“１６”、“３２”、…、“２２４”および“２２５”の組合せで表わせるものを考える。その結果、格子点の数は９３＝７２９となる。ここで色信号強度を例えば、ＧＲＥＴＡＧ社のＳＰＭ１００−II等の測色機器を用いて測色して、例えばＬ＊ａ＊ｂ＊値を求めることで各入出力色信号の絶対色を比較することが可能となる。
【００２８】
測色値を用いる代わりに、特開平５−２８７３４７広報記載の出力結果予測手法を用いてもよい。ニューラルネットワークを応用した近似式を予測に用いることで直接Ｌ＊ａ＊ｂ＊値からＣＭＹＫ値が得られ、また本実施形態では７２９点の格子点でのＣＭＹＫ値から任意のＲ、Ｇ、Ｂ値をもとめる場合には、補間する必要があるが、前記近似式を用いれば補間処理を省くことができ効率化することが可能である。予測手法としては種々の手法が知られているが、要求される要素精度などを考慮して、適当な手法を用いればよい。
【００２９】
図３−２１０の前段色信号変換部ではＬ＊ａ＊ｂ＊空間上でモニタＲ、Ｇ、ＢによるガマットがプリンタＲ’Ｂ’Ｇ’ガマットの内側に入るように、例えば明度Ｌ＊を保持したまま彩度Ｓ（＝（ａ＊×ａ＊＋ｂ＊×ｂ＊）＾１／２）を下げるなどの処理を行って、入力デバイスガマットを出力デバイスガマットへとマッピングする（図６）。すなわち、この操作によってモニタＲ、Ｇ、Ｂ値と対応するプリンタガマット内のＬ＊ａ＊ｂ＊値の組が得られる。
【００３０】
圧縮後のモニタガマットがプリンタガマットに納まるようになったら、例えば、ΔＥ（＝（（Ｌ＊’−Ｌ＊）＾２＋（ａ＊’−ａ＊）＾２＋（ｂ＊’−ｂ＊）＾２））＾１／２が最小となるようにＬ＊ａ＊ｂ＊値をキーとして、モニタ（Ｒ、Ｇ、Ｂ）とプリンタ（Ｒ’、Ｇ’、Ｂ’）の組を決定することで、モニタＲ、Ｇ、Ｂ値に対応するプリンタＲ’Ｇ’Ｂ’値を求めることができる。
【００３１】
前記前段色変換処理によって、モニタガマットとプリンタガマットの双方に共通な領域ではΔＥを指標として忠実な色再現を行いつつ、モニタ色信号（Ｒ、Ｇ、Ｂ）とプリンタ色信号（Ｒ’、Ｇ’、Ｂ’）の組を決定することが可能である。
【００３２】
従来実施形態では前記モニタ（Ｒ、Ｇ、Ｂ）とプリンタ（Ｒ’、Ｇ’、Ｂ’）の組を、前段色信号変換テーブルとして、メモリに保持し、ドライバに送られて来た画像信号に対して変換を行うことで、各画像信号に対して色域変換処理と等価な処理を行っている。
【００３３】
図７は本発明の最大の特徴である｛Ｒ、Ｇ、Ｂ｝＝｛０、２５５、０｝なる信号を印刷して得られるＬ＊ａ＊ｂ＊均等色空間上の測色値が為す角θに対して、｛Ｒ、Ｇ、Ｂ｝＝｛０、ｋ、０｝（ｋ≦Ｃ、３２≦Ｃ≦１１２）の場合にはθよりもシアン寄りへ、｛Ｒ、Ｇ、Ｂ｝＝｛０、ｋ、０｝（Ｃ＜ｋ≦２５５、３２≦Ｃ≦１１２）の場合にはθよりも黄寄りへ、各々偏ってマッピングしたＬＵＴを用いて図６を印刷／測色したものを、Ｌ＊ａ＊ｂ＊均等色空間内におけるａ＊−ｂ＊平面に射影することによって２次元的に表現したものである。
【００３４】
この好適な色相面は、次のようにして得る。まず好ましい色再現を実現するための調査方法として一般的な、無作為に抽出された多数の被験者からなるモニターテストを実施して多数の支持を得られるかどうかを判断した。
【００３５】
このモニターテストのために、前述のようにして得られた前段色信号変換テーブルと、この変換テーブルを適切な手段（ソフトウェア／ハードウェアを用いた色補正処理や、前述前段色信号変換テーブルを構成する数値要素を直接変更する等）を用いて、測色結果がＬ＊ａ＊ｂ＊均等色空間座標における（ａ＊、ｂ＊）の為す角が数度ずつ異なるようなテーブルを複数作成し、グリーン近傍の信号を多く含む自然画等のイメージデータを印刷したものを用意した。
【００３６】
具体的には図８のように、印刷装置１５０の出力結果を測色機器２４０を通して評価し、評価結果を基に前段色信号変テーブルを修正し、修正されたテーブルを図３−２１０の前段色信号変部に用いられているテーブルと差し替えて印刷して印刷サンプルを用意した。
【００３７】
具体的には同じ画像について、｛Ｒ、Ｇ、Ｂ｝＝｛ｉ、ｊ、ｉ｝（０≦ｉ≦２５５、０≦ｊ≦２５５、但し常にｊ≧ｉ）なる信号を忠実に色再現するＬＵＴ（Ａ）と、｛Ｒ、Ｇ、Ｂ｝＝｛０、２５５、０｝なる信号を印刷して得られるＬ＊ａ＊ｂ＊均等色空間上の測色値が為す角θに対して、該信号を一律にシアン側へ偏ってマッピングしたＬＵＴ（Ｂ）と、該信号を一律に黄側へ偏ってマッピングしたＬＵＴ（Ｃ）と、該信号を｛Ｒ、Ｇ、Ｂ｝＝｛０、ｋ、０｝（ｋ≦Ｃ、３２≦Ｃ≦１１２の場合にはθよりも黄寄りへ、｛Ｒ、Ｇ、Ｂ｝＝｛０、ｋ、０｝（Ｃ＜ｋ≦２５５、３２≦Ｃ≦１１２）の場合にはθよりもシアン寄りへ、各々偏ってマッピングしたＬＵＴ（Ｄ）と、該信号を｛Ｒ、Ｇ、Ｂ｝＝｛０、ｋ、０｝（ｋ≦Ｃ、３２≦Ｃ≦１１２）の場合にはθよりもシアン寄りへ、｛Ｒ、Ｇ、Ｂ｝＝｛０、ｋ、０｝（Ｃ＜ｋ≦２５５、３２≦Ｃ≦１１２）の場合にはθよりも黄寄りへ、各々偏ってマッピングしたＬＵＴ（Ｅ）を用いて複数印刷した。
【００３８】
さらにモニターテスト被験者は、該印刷サンプルについて１位〜５位まで順位付けを行った。
【００３９】
ここで前述ＬＵＴ（Ａ）で画像データ（図５）を印刷して得られる測色値から、このテーブルがＬ＊ａ＊ｂ＊均等色空間内に張るグリーンの色相面を該座標系におけるａ＊−ｂ＊平面に射影すると図９のように、入力信号を忠実に反映した直線的な形状をしている。
【００４０】
前述のように用意した複数の印刷サンプルを用いてモニターテストを以下のように実施した結果、前述ＬＵＴ（Ｅ）を用いれば、ユーザから好適な支持を得ることができた（図１０）。
【００４１】
またこの際前記θを、図１１のようにＬ＊ａ＊ｂ＊均等色空間内におけるａ＊−ｂ＊平面に射影した際に１５０度となるように偏ってマッピングしたＬＵＴを用いることもまた、ユーザから好適な支持を得ることができた。
【００４２】
このようにして｛Ｒ、Ｇ、Ｂ｝＝｛０、２５５、０｝なる信号を印刷して得られるＬ＊ａ＊ｂ＊均等色空間上の測色値が為す角θに対して、｛Ｒ、Ｇ、Ｂ｝＝｛０、ｋ、０｝（ｋ≦Ｃ、３２≦Ｃ≦１１２）の場合にはθよりもシアン寄りへ、｛Ｒ、Ｇ、Ｂ｝＝｛０、ｋ、０｝（Ｃ＜ｋ≦２５５、３２≦Ｃ≦１１２）の場合にはθよりも黄寄りへ、各々偏ってマッピングしたものを用いることによって、ユーザから高い支持を得ることができた。
【００４３】
さらに｛Ｒ、Ｇ、Ｂ｝＝｛０、２５５、０｝なる信号を印刷して得られるＬ＊ａ＊ｂ＊均等色空間上の測色値が為す角θをＬ＊ａ＊ｂ＊均等色空間内におけるａ＊−ｂ＊平面に射影した際に、その測色値が、プリンタ色再現空間でａｒｃｔａｎｇｅｎｔ（ｂ＊／ａ＊）＝ξとするとき、１４０度≦ξ≦１６０度となるように偏ってマッピングしたＬＵＴを用いることによってもまた、ユーザから好適な支持を得られることができた。
【００４４】
尚この例ではＣＭＹＫの４色の色材を用いた場合を例に挙げたが、グリーンやレッド、ブルー及び希釈率の異なる淡いインク、所謂淡インクを用いる印刷装置を用いても同じ結果が得られることは言うまでもない。
【００４５】
さらにまたこの例ではＬ＊ａ＊ｂ＊均等色空間を例に説明してきたが、他の色空間座標系を用いても同様の効果が得られる。
【図面の簡単な説明】
【００４６】
【図１】本発明の好適な実施の形態に係る画像処理システムの概略構成を示す図である。
【図２】プリンタドライバで行う処理を説明する図である。
【図３】プリンタドライバで行う色処理を説明する概略図である。
【図４】ディスプレイの色再現範囲と、プリンタの色再現範囲との比較を模式的に表す図である。
【図５】プリンタ／ディスプレイ等のガマットを決定する際に用いるチャート（これを出力して測色することにより、Ｒ、Ｇ、Ｂ色信号強度とＬ＊ａ＊ｂ＊値との対応付けを行うことができる）である。
【図６】彩度方向へのガマット圧縮を（明度ー彩度）平面において概念的に説明する図である。
【図７】本発明が実現する、高い支持を集めるように設定されたＬＵＴを用いて図６を印刷／測色したものを、Ｌ＊ａ＊ｂ＊均等色空間内におけるａ＊−ｂ＊平面に射影したものである。
【図８】本発明が実現する、プリンタドライバで行う色処理を説明する概略図である。
【図９】従来の技術で実現されたＬＵＴを用いて図６を印刷／測色したものを、Ｌ＊ａ＊ｂ＊均等色空間内におけるａ＊−ｂ＊平面に射影したものである。
【図１０】モニターテストの結果である。
【図１１】本発明が実現する、好適な色再現である。
【図１】
2005210551.tif 000003
【図２】
2005210551.tif 000004
【図３】
2005210551.tif 000005
【図４】
2005210551.tif 000006
【図５】
2005210551.tif 000007
【図６】
2005210551.tif 000008
【図７】
2005210551.tif 000009
【図８】
2005210551.tif 000010
【図９】
2005210551.tif 000011
【図１０】
2005210551.tif 000012
【図１１】
2005210551.tif 000013